(57)【特許請求の範囲】
【請求項１】
（イ）ほぼ水平な使用位置と上向きに起立した退避位置との間で上下に回動可能とされた吐水管と、（ロ）該吐水管からの吐水と止水とを行うハンドルとを有し、該吐水管が前記使用位置において壁側から便器の上方まで延び出して先端部の吐水口を便器内部に向け、該便器内に吐水可能となる一方、前記退避位置では便器上方から後側に退避して該便器への着座を可能となす汚物洗い水栓であって、
前記ハンドルが開操作位置にあるまま、前記吐水管が便器外に吐水する位置まで前記使用位置から前記退避位置に向って上向きに回動するのを阻止する第１のストッパを設けたことを特徴とする汚物洗い水栓。
【請求項２】
請求項１において、前記第１のストッパが、前記ハンドルの開操作状態の下で前記吐水管を前記使用位置に停止させるものであることを特徴とする汚物洗い水栓。
【請求項３】
請求項１，２の何れかにおいて、前記吐水管と一体回転するアームが設けられていて該アームに前記第１のストッパが設けられており、且つ該第１のストッパが、前記開操作位置にあるハンドルのレバーに当接して該吐水管の回動を阻止するものとなしてあることを特徴とする汚物洗い水栓。
【請求項４】
（イ）ほぼ水平な使用位置と上向きに起立した退避位置との間で上下に回動可能とされた吐水管と、（ロ）該吐水管からの吐水と止水とを行うハンドルとを有し、該吐水管が前記使用位置において壁側から便器の上方まで延び出して先端部の吐水口を便器内部に向け、該便器内に吐水可能となる一方、前記退避位置では便器上方から後側に退避して該便器への着座を可能となす汚物洗い水栓であって、
前記吐水管の前記使用位置の側から前記退避位置の側に向う上向きの回動に伴って且つ便器外に吐水を行うまでの回動範囲内で、開操作位置にある前記ハンドルを止水操作位置まで連動して回転操作するガイド部を有していることを特徴とする汚物洗い水栓。
【請求項５】
請求項４において、前記吐水管と一体回転するアームが設けられていて該アームに前記ガイド部が備えられており、且つ該ガイド部は、前記開操作位置にあるハンドルのレバーに当って該吐水管の回動運動を該ハンドルの閉方向への回転に変換するものとなしてあることを特徴とする汚物洗い水栓。
【請求項６】
請求項１，２，４の何れかにおいて、前記吐水管が前記退避位置にあるとき、前記ハンドルの開方向への回転を阻止する第２のストッパが設けてあることを特徴とする汚物洗い水栓。
【請求項７】
請求項６において、前記吐水管と一体回転するアームが設けられていて該アームに前記第２のストッパが備えられ、且つ該第２のストッパは閉操作位置にあるハンドルのレバーに当って該ハンドルの開方向への回転を阻止するものとなしてあることを特徴とする汚物洗い水栓。
【請求項８】
請求項１〜６の何れかにおいて、前記ハンドルは所定回転範囲に亘って止水操作状態を保持するものとなしてあることを特徴とする汚物洗い水栓。
【発明の詳細な説明】
【０００１】
【発明の属する技術分野】
この発明は便器の上方から便器内に吐水可能であって、便器内で汚物洗いをすることのできる汚物洗い水栓に関する。
【０００２】
【従来の技術】
この種汚物洗い水栓は主として病院内、特に病室内のトイレに設置されている。
例えば尿瓶を使った後にトイレ内でこれを洗いたいといった要望が多くなっており、この要望に応えるため、近年病室のトイレにこの種汚物洗い水栓が設置されるようになって来ている。
【０００３】
図８はその一例を示している。
同図において２００はトイレ内に設置された便器で、２０２は便器本体、２０４は便座である。
Ｗは便器２００の後側の壁であって、この壁Ｗに汚物洗い水栓２０６が設置されている。
【０００４】
この汚物洗い水栓２０６は、水栓本体２０８と、これから延び出した吐水管２１０と、ハンドル２１２とを有している。
吐水管２１０は、ほぼ水平をなす水平部２１０Ａとこれより屈曲した屈曲部２１０Ｂとを有していて、全体として略Ｌ字状をなしており、そしてその水平部２１０Ａにおいて、壁Ｗに取り付けられた支持部材２１６によって上下に回動可能に支持されている。
【０００５】
この吐水管２１０は、図９（ＩＩ）に示す使用位置と（Ｉ）に示す退避位置との間で水平部２１０Ａが自身の軸心回りに回転可能且つ屈曲部２１０Ｂがその軸心回りに回動可能とされている。
詳しくは吐水管２１０は、図９（ＩＩ）に示しているように屈曲部２１０Ｂが便器２００上方まで延び出して、先端部の吐水口２１４を便器２００内部に向けた使用位置と、（Ｉ）に示しているように屈曲部２１０Ｂが便器２００の上方から後側に退避して起立した状態となる退避位置との間で回動可能とされている。
【０００６】
この汚物洗い水栓２０６の場合、吐水管２１０を図９（ＩＩ）の使用位置まで倒した状態で便器２００内に吐水を行うことができ、従って便器２００内で使用後の尿瓶等の汚物洗いを行うことができる。
また一方便器２００を使用する場合には、吐水管２１０を図９（Ｉ）の退避位置まで上向きに起こした状態とすることで、便器２００への着座が可能となる。
【０００７】
ところでこの汚物洗い水栓２０６の場合、吐水管２１０が図９（Ｉ）に示す退避位置にある状態で、ハンドル２１２を誤って開操作してしまうと、水平ないしほぼ上向き状態にある吐水口２１４から吐水を行ってしまい、便器２００に着座した状態の使用者に対して水をかけてしまったり、或いはまた便器２００上に人がいない場合においてもその吐水口２１４からの水が便器２００周りに飛散してしまうといった恐れがある。
【０００８】
そこでこれら図８，図９に示す汚物洗い水栓２０６の場合、吐水管２１０が退避位置にある状態の下ではハンドル２１２を開操作できないように対策が講じられている。
具体的にはこの汚物洗い水栓２０６では、吐水管２１０と一体回転する状態でアーム２２４が設けられており、そのアーム２２４に、止水操作位置にあるハンドル２１２の一対の突出状の摘み２１８に当接して開方向の回転を阻止するストッパ２２０がその湾曲部２２２の両端に設けてある。
【０００９】
従ってこの汚物洗い水栓２０６では、吐水管２１０が退避位置に位置しているときにはハンドル２１２の開操作ができないため、吐水口２１４からの水が使用者に降りかかったり或いは便器２００周りに飛散してしまうのを有効に防止できる。
【００１０】
【発明が解決しようとする課題】
しかしながらこの汚物洗い水栓２０６にあっては、未だ以下のような問題点が内在している。
即ちこの汚物洗い水栓２０６は、吐水管２１０が図９（Ｉ）に示す退避状態にあるときには吐水操作を行うことができないものの、図９（ＩＩ）に示す使用位置において吐水を行っている状態から、吐水管２１０を退避位置に向けて上向きに回動させることが可能であり、従って吐水状態で誤って吐水管２１０を上向きに回動操作してしまうと、吐水口２１４からの水が便器２００の外部に飛散してしまう問題を内在している。
【００１１】
【課題を解決するための手段】
本発明の汚物洗い水栓はこのような課題を解決するために案出されたものである。
而して請求項１のものは、（イ）ほぼ水平な使用位置と上向きに起立した退避位置との間で上下に回動可能とされた吐水管と、（ロ）該吐水管からの吐水と止水とを行うハンドルとを有し、該吐水管が前記使用位置において壁側から便器の上方まで延び出して先端部の吐水口を便器内部に向け、該便器内に吐水可能となる一方、前記退避位置では便器上方から後側に退避して該便器への着座を可能となす汚物洗い水栓であって、前記ハンドルが開操作位置にあるまま、前記吐水管が便器外に吐水する位置まで前記使用位置から前記退避位置に向って上向きに回動するのを阻止する第１のストッパを設けたことを特徴とする。
【００１２】
請求項２のものは、請求項１において、前記第１のストッパが、前記ハンドルの開操作状態の下で前記吐水管を前記使用位置に停止させるものであることを特徴とする。
【００１３】
請求項３のものは、請求項１，２の何れかにおいて、前記吐水管と一体回転するアームが設けられていて該アームに前記第１のストッパが設けられており、且つ該第１のストッパが、前記開操作位置にあるハンドルのレバーに当接して該吐水管の回転を阻止するものとなしてあることを特徴とする。
【００１４】
請求項４のものは、（イ）ほぼ水平な使用位置と上向きに起立した退避位置との間で上下に回動可能とされた吐水管と、（ロ）該吐水管からの吐水と止水とを行うハンドルとを有し、該吐水管が前記使用位置において壁側から便器の上方まで延び出して先端部の吐水口を便器内部に向け、該便器内に吐水可能となる一方、前記退避位置では便器上方から後側に退避して該便器への着座を可能となす汚物洗い水栓であって、前記吐水管の前記使用位置の側から前記退避位置の側に向う上向きの回動に伴って且つ便器外に吐水を行うまでの回動範囲内で、開操作位置にある前記ハンドルを止水操作位置まで連動して回転操作するガイド部を有していることを特徴とする。
【００１５】
請求項５のものは、請求項４において、前記吐水管と一体回転するアームが設けられていて該アームに前記ガイド部が備えられており、且つ該ガイド部は、前記開操作位置にあるハンドルのレバーに当って該吐水管の回動運動を該ハンドルの閉方向への回転に変換するものとなしてあることを特徴とする。
【００１６】
請求項６のものは、請求項１，２，４の何れかにおいて、前記吐水管が前記退避位置にあるとき、前記ハンドルの開方向への回転を阻止する第２のストッパが設けてあることを特徴とする。
【００１７】
請求項７のものは、請求項６において、前記吐水管と一体回転するアームが設けられていて該アームに前記第２のストッパが備えられ、且つ該第２のストッパは閉操作位置にあるハンドルのレバーに当って該ハンドルの開方向への回転を阻止するものとなしてあることを特徴とする。
【００１８】
請求項８のものは、請求項１〜６の何れかにおいて、前記ハンドルは所定回転範囲に亘って止水操作状態を保持するものとなしてあることを特徴とする。
【００１９】
【作用及び発明の効果】
上記のように請求項１のものは、ハンドルが開操作位置にあるまま吐水管が便器外に吐水する位置まで使用位置から退避位置に向って上向きに回動するのを阻止する第１のストッパを設けたもので、この汚物洗い水栓にあっては、吐水管から便器に向けて吐水を行っている状態で誤って吐水管を上向きに回してしまい、吐水管からの水が便器外に飛散するといった不都合をなくすことができる。
【００２０】
ここで第１のストッパは、必ずしも吐水管を回動下端、即ち使用位置に停止させておくものに限らず、吐水管をある程度上向きに回動可能となしておき、そして吐水管が便器外に水を吐水してしまうような位置に到る直前でそれ以上の上向きの回動を阻止するように構成することもできる。
但し望ましくは吐水管を使用位置に停止させておくように第１のストッパを構成しておく（請求項２）。
このようにすれば確実に吐水管からの水が便器外に飛散するのを防止できる。
【００２１】
この場合において吐水管と一体回転するアームを設けておいて、そのアームに開操作位置にあるハンドルのレバーに当接して吐水管の回転を阻止する形態で第１のストッパを備えておくことができる（請求項３）。
このようにすれば、吐水管が上向きに回動するのを阻止する第１のストッパを簡単に構成することができる。
【００２２】
この第１のストッパは、開操作位置にあるハンドルのレバーに当って吐水管の回動を阻止するものであり、従ってハンドルが開操作位置にあるときに確実に吐水管の上向きの回動を阻止できる一方で、ハンドルが閉操作位置にあるときには支障なく吐水管を退避位置へと回動させることができる。
【００２３】
次に請求項４のものは、吐水管が使用位置の側から退避位置の側に向う上向きの回動に伴って且つ便器外に吐水を行うまでの回動範囲内で、開操作位置にあるハンドルを止水操作位置まで連動して回転操作するガイド部を設けたもので、このようになした場合においても、使用状態、即ち吐水状態にある吐水管を誤って退避位置に向けて上向きに回動操作してしまっても、その吐水口からの水が便器外に飛散してしまうといったことを防ぐことができる。
【００２４】
この場合においてそのガイド部は、吐水管と一体回転するアームを設けておいてそのアームに備えておくことができる。
その際ガイド部は、開操作位置にあるハンドルのレバーに当って吐水管の回動運動をハンドルの閉方向への回転に変換するものとなしておくことができる（請求項５）。
このようにすれば、簡単な構成でガイド部を構成することができ、且つ確実に吐水管の回動に伴ってハンドルを閉方向に回転操作することができる。
【００２５】
本発明においては、吐水管が退避位置にあるときにハンドルの開方向への回転を阻止する第２のストッパを設けておくことができる（請求項６）。
このようにしておけば、退避位置において吐水管から吐水が行われてしまって、便器の使用者に対して水が降りかかったり或いは便器外に水が飛散してしまうのを防止できる。
即ち吐水を行うべきでない何れの場合においても、確実に吐水管からの吐水を禁止した状態となすことができる。
【００２６】
この場合において吐水管と一体回転するアームを設けておいて、そのアームに上記第２のストッパを備えておくことができる。
その際第２のストッパは、閉操作位置にあるハンドルのレバーに当ってハンドルの開方向への回転を阻止するものとなしておくことができる（請求項７）。
【００２７】
本発明においては、上記ハンドルを所定回転範囲に亘って止水操作状態を保持するものとなしておくことができる（請求項８）。
このようにしておけば、例えば吐水管と一体回転する状態にアームを設けた場合において、そのアームに上記ガイド部と第２のストッパ部とを容易に構成することができる。
【００２８】
【実施例】
次に本発明の実施例を図面に基づいて詳しく説明する。
図１において、１０は病室のトイレに設置された便器で、１２は便器本体、１４は便座、Ｗは便器１０の後側の壁である。壁Ｗには本例の汚物洗い水栓１６が設置されている。
【００２９】
この汚物洗い水栓１６は、水栓本体１８と、吐水及び止水を行うハンドル２０と、水栓本体１８から延び出した吐水管２２とを有している。
吐水管２２は、ほぼ水平をなす水平部２２Ａとこれより屈曲した屈曲部２２Ｂとを有する全体としてＬ字形態のもので、その水平部２２Ａにおいて、壁Ｗに取り付けられた支持部材２４により上下に回動可能に支持されている。
【００３０】
この吐水管２２は、図２（Ｃ）に示しているように屈曲部２２Ｂが便器１０の上方までほぼ水平に延び出し、先端部の吐水口２６が便器１０内部を向いた状態となる使用位置Ｓ１から、上向きに起立し、便器１０の上方から壁Ｗ側に退避した状態となる退避位置Ｓ３との間で上下に回動可能とされている。
【００３１】
尚本例では、屈曲部２２Ｂがほぼ水平となる使用位置Ｓ１から少なくとも上向きに２０°（Ｓ２の位置）の範囲内で吐水を行ったとき、その吐水が便器１０内部へと落下する。
即ちこの範囲内で吐水を行っている限り、吐水口２６からの吐水が便器１０外へと飛散することはない。
【００３２】
上記ハンドル２０は回転操作式のハンドルであって、その回転軸心から直角方向に突き出した長いレバー２８と、回転操作を助ける摘み３２及び安全ボタン３０とが設けられている。
ハンドル２０はこの安全ボタン３０を押すことによって、初めて開方向への回転操作が可能となる。
【００３３】
図２に詳しく示しているように吐水管２２の付け根には、これと一体回転する状態で略Ｌ字状をなすアーム３４が設けられている。
アーム３４は、吐水管２２における水平部２２Ａの軸心から直角方向に突き出した第１部３４Ａと、その先端から略水平に折れ曲った第２部３４Ｂとを有しており、その第２部３４Ｂの図２（Ａ）中前端が第１のストッパ３６として構成されている。
【００３４】
この第１のストッパ３６は、図２（Ｂ），（Ｃ）に示しているようにハンドル２０のレバー２８が垂直下向きとなっている状態（開操作位置）でそのレバー２８の後端に当接し、吐水管２２の上向きの回動、即ち退避位置Ｓ３に向けての回動を阻止するように作用する。
【００３５】
ここでレバー２８は、図２（Ｂ）の垂直下向きの位置が完全開位置、即ち水栓本体１８における弁部４２（図３参照）の固定開口４４に対し可動開口４６を完全に一致させる状態となる。
而してハンドル２０は、この位置からレバー２８が図中左向きに回転することで弁部４２の可動開口４６をともに回転させ、可動開口４６と固定開口４４との重複部分の面積を漸次減少させる。即ち吐水口２６からの吐水流量を漸次少なくする。
【００３６】
そして図２（Ｂ）の垂直下向き、即ち完全開位置から図中２点鎖線で示しているように左向きに４５°回転したところで、可動開口４６と固定開口４４との重複部分がなくなって、ここにおいて吐水口２６からの吐水が停止し、止水状態となる。
【００３７】
レバー２８は、更にこの４５°傾いた位置から同図中２点鎖線で示す水平位置まで更に回転操作可能である。但しこの範囲内では止水状態を保持している。
即ち図３（Ａ）（Ｉ），（ＩＩ）に示しているようにこの範囲内では固定開口４４と可動開口４６とは完全不一致の状態にあり、この（Ｉ）状態でレバー２８が回転運動しても、吐水口２６からの吐水は停止状態に、即ち止水状態に保たれる。
【００３８】
上記アーム３４における第２部３４Ｂの先端部には、第２のストッパ４０が突出する状態で設けられている。
この第２のストッパ４０は、図１及び図４（Ｉ）に示しているようにレバー２８が水平位置にあるとき且つ吐水管２２が上向き起立状態の退避位置Ｓ３にあるとき、レバー２８の下面に当接することによってレバー２８の、即ちハンドル２０の開方向への回転を阻止するように作用する。
【００３９】
図２（Ｂ）において、上記第２部３４Ｂの上面及び第２のストッパ４０の内面は、それぞれレバー２８を閉方向に回転させるためのガイド面３８Ａ及び３８Ｂとして構成されている。
本例ではこれらガイド面３８Ａ及び３８Ｂによって全体のガイド部が構成されている。
【００４０】
ここでガイド面３８Ａは、レバー２８が図２（Ｂ）に示す垂直下向き姿勢から僅かに左向きに回転した状態の下で、吐水管２２が図２（Ｃ）のＳ１で示す使用位置の側から上向きに誤って回転操作されたとき、その吐水管２２の上向きの回動に伴って、即ちアーム３４の上向きの回動に伴ってレバー２８をそのガイド作用によって左向きに強制回転させる。
【００４１】
そしてレバー２８がある程度回転したところで、続いて第２のストッパ４０のガイド面３８Ｂがレバー２８に当り、そして更なる吐水管２２の上向きの回動に伴い、引き続いてレバー２８を図２（Ｂ）中２点鎖線で示す水平位置までそのガイド作用により強制回転させる。
【００４２】
次に本例の汚物洗い水栓１６の作用を図４ないし図７に基づいて詳しく説明する。
図４（Ｉ）は吐水管２２が退避位置Ｓ３にあり、またハンドル２０が完全閉操作位置、詳しくはレバー２８が水平位置にある状態を示している。
このときアーム３４の第２のストッパ４０がレバー２８の直下に位置しており、従ってこの状態ではハンドル２０を開方向に回転操作することはできない。即ちこの状態では誤ってハンドル２０を回転操作してしまって吐水口２６から吐水させてしまうといったことは生じない。
【００４３】
この状態から図４（ＩＩ）に示しているように吐水管２２を使用位置Ｓ１まで下向きに回動させると、これに伴ってアーム３４が下向き且つ後方へと一体に回転運動し、これによって第２のストッパ４０によるレバー２８に対する回転阻止作用が解除される。
【００４４】
ここにおいてハンドル２０を開方向に回転操作することができ、吐水管２２の吐水口２６から吐水を行わせることができる。
従ってこの状態で便器１０内部で尿瓶等の汚物洗いを支障なく行うことができる。
【００４５】
尚このとき、図４（ＩＩ）に示しているようにアーム３４の第１のストッパ３６が垂直下向き状態にあるレバー２８の後端に当接した状態にあり、従ってレバー２８を垂直下向きにしたままの状態で吐水管２２を誤って上向きに回動させてしまうといったことは生じない。
【００４６】
本例では、レバー２８が完全垂直下向き姿勢から僅かに左向きに回転した位置において、吐水管２２が上向きに回動操作されたとき、これに伴ってレバー２８が連動してガイド面３８Ａにより左向きに強制的に回転操作される。
即ち、図５（Ｉ）に示しているようにレバー２８が僅かに左向きになった状態で吐水管２２が上向きに回動すると、図５（ＩＩ）に示しているように第２部３４Ｂ上面のガイド面３８Ａが先ずレバー２８の下端に当り、引き続く吐水管２２の上向きの回動に伴ってレバー２８を左向きに押し、これを回転運動させる。
【００４７】
そして図６（ＩＩＩ）に示しているようにレバー２８がある角度まで左向きに回転運動したところで、続いてその次に第２のストッパ４０のガイド面３８Ｂがレバー２８に接触するに到り、そして吐水管２２の更なる上向きの回動に伴って、今度はこのガイド面３８Ｂがレバー２８を引き続き左向きに強制的に回転運動させる（図６（ＩＶ）及び図７（Ｖ）参照）。
そして図７（ＶＩ）に示しているように、吐水管２２が起立姿勢（退避位置Ｓ３）まで上向きに回動したところで、レバー２８が完全水平向きの止水状態となり、図４（Ｉ）に示す当初の状態へと戻る。
【００４８】
尚、この説明から明らかなように第２のストッパ４０は、吐水管２２が完全退避位置Ｓ３から下向きの所定角度範囲内において、レバー２８、即ちハンドル２０の開操作位置への回転を阻止するストッパとして働いていると考えることもできる。
即ち吐水管２２が便器１０の外部に水を吐水してしまう角度範囲においては、ハンドル２０の開操作を阻止するストッパとして働いていると考えることができる。
【００４９】
以上のような本例の汚物洗い水栓１６では、第１のストッパ３６を設けることで、吐水管２２から便器１０に向けて吐水を行っている状態で誤って吐水管２２を上向きに回してしまい、吐水管２２からの水が便器１０外に飛散するといった不都合をなくすことができる。
【００５０】
この第１のストッパ３６は開操作位置にあるハンドル２０のレバー２８に当って吐水管２２の回動を阻止するものであり、従ってハンドル２０が開操作位置にあるときに確実に吐水管２２の上向きの回動を阻止できる一方で、ハンドル２０が閉操作位置にあるときには支障なく吐水管２２を退避位置Ｓ３へと回動させることができる。
【００５１】
また本例では、吐水管２２が使用位置Ｓ１の側から退避位置Ｓ３の側に向う上向きの回動に伴って且つ便器１０外に吐水を行うまでの回動範囲内で、開操作位置にあるハンドル２０を止水操作位置まで連動して回転操作するため、レバー２８が垂直下向きより左向きに僅かに傾いている吐水状態で吐水管２２を誤って退避位置Ｓ３に向けて上向きに回動操作してしまっても、その吐水口２６からの水を便器１０外に飛散させてしまうといったことを防ぐことができる。
【００５２】
本例ではまた第２のストッパ４０を設けていることから、退避位置Ｓ３において吐水管２２から吐水が行われてしまって、便器１０の使用者に対して水が降りかかったり或いは便器１０外に水が飛散してしまうのを防止できる。即ち吐水を行うべきでない何れの場合においても、確実に吐水管２２からの吐水を禁止した状態となすことができる。
【００５３】
また本例ではハンドル２０を所定回転範囲に亘って止水操作状態を保持するものとなしているため、アーム３４に上記ガイド面３８Ａ，３８Ｂと第２のストッパ部４０とを容易に構成することができる。
【００５４】
以上本発明の実施例を詳述したがこれはあくまで一例示であり、本発明はその主旨を逸脱しない範囲において種々変更を加えた形態で構成可能である。
【図面の簡単な説明】
【図１】本発明の一実施例である汚物洗い水栓を便器とともに設置状態で示す図である。
【図２】同じ実施例の汚物洗い水栓の具体的構成を示す図である。
【図３】同じ実施例の汚物洗い水栓における弁部の作用説明図である。
【図４】同じ実施例の汚物洗い水栓の作用説明図である。
【図５】同じ実施例の汚物洗い水栓の図４に続く作用説明図である。
【図６】同じ実施例の汚物洗い水栓の図５に続く作用説明図である。
【図７】同じ実施例の汚物洗い水栓の図６に続く作用説明図である。
【図８】従来の汚物洗い水栓を便器とともに設置状態で示す図である。
【図９】図８の汚物洗い水栓をその作用とともに示す図である。
【符号の説明】
１０  便器
１２  便器本体
１６  汚物洗い水栓
２０  ハンドル
２２  吐水管
２６  吐水口
２８  レバー
３４  アーム
３６  第１のストッパ
３８Ａ，３８Ｂ  ガイド面
４０  第２のストッパ
Ｗ    壁
Ｓ１  使用位置
Ｓ３  退避位置
【図１】
0003628592.tif 000002
【図２】
0003628592.tif 000003
【図３】
0003628592.tif 000004
【図４】
0003628592.tif 000005
【図５】
0003628592.tif 000006
【図６】
0003628592.tif 000007
【図７】
0003628592.tif 000008
【図８】
0003628592.tif 000009
【図９】
0003628592.tif 000010